(57)【特許請求の範囲】
【請求項１】
底部を普通コンクリートで成形し、側壁を透水コンクリートで成形し、かつ前記底部の一部に浸透口を貫通して成形し、この浸透口に対して内方から透水コンクリートで成形されていて、流水を一定のレベルまで堰き止めかつオーバーフローすることができる堰部を形成した堰ブロックを着脱自在に組み付けて成る浸透側溝。
【請求項２】
前記浸透口を底部において上流側と下流側の２ヶ所に成形し、この浸透口にそれぞれ堰ブロックを着脱自在に組み付けて成る請求項１に記載の浸透側溝。
【請求項３】
前記堰ブロックは、側面視で逆Ｔ字型又はＬ字型又はＩ字型を呈していることを特徴とする請求項１又は２に記載の浸透側溝。
【請求項４】
前記堰ブロックの堰部の一部には、通水孔が成形されていることを特徴とする請求項１又は２又は３のいずれか１項に記載の浸透側溝。
【発明の詳細な説明】
【０００１】
【発明の属する技術分野】
本発明は、側溝内に流れ込んだ雨水等の排水を、そのまま流すのではなく、その一部は側溝を経由して周囲の土壌中に浸透させて河川に流れ込む排水量を減少させることを目的に施工される浸透側溝に関するものである。
【０００２】
【従来の技術】
近年のますますの都市化の進展は、屋根、舗装などの不浸透領域を増大させ、自然の水循環バランスに狂いが生じてきている。多発する都市型洪水にそれは典型的なものとしてあらわれ、また地下水位の低下、中小河川での平常時流量の減少等は、環境に有害な変化を与えるとともに、下水道処理量の増大等によって、社会的コストの増加を招いている。こうした状況のもと、雨水の浸透及び貯溜再利用による環境の維持が緊近の社会的要請となっている。
【０００３】
【発明が解決しようとする課題】
このような状況のもとで、現在、側溝にも浸透性能を有するものが施工されるようになって来た。図１３（Ａ）（Ｂ）にこの浸透側溝ブロックの代表的な例を示す。（Ａ）の浸透側溝ブロック１は、底部２と側壁３ａ、３ｂの上端部分４を普通コンクリートで成形し、側壁３ａ、３ｂの大部分を浸透コンクリート５で一体成形した構成である。一方、（Ｂ）は、浸透側溝ブロック１において、側壁３ａ、３ｂの上端部分４のみを普通コンクリートで成形し、底部２と側壁３ａ、３ｂ全体を透水コンクリート５で一体成形した構成である。
【０００４】
上記構成の浸透側溝ブロックを側溝全体に又は一部に施工すると、流水は透水コンクリート５部分においてブロックから周囲の土壌中に浸透して行くことにより河川に排水される量を減らすことができる。しかし、透水コンクリート５は、普通コンクリートに比較して強度が劣るため、普通コンクリートに比較してコンクリートの肉厚を厚くする必要があり、このために、透水コンクリート５の部分を水が浸透して出て行くまでに時間がかかり、十分なる浸透効果を発揮できない。特に、側溝の傾斜がきついと、流水の流れが速く、浸透率が低下する。
【０００５】
また、浸透率は、当然のこととして、流水と透水コンクリート５との接触面積が大きい場合ほど大きくなるが、例えば底部２が透水コンクリート製の場合、排水は側壁３ａ、３ｂの透水コンクリート５の部分においてのみ浸透するため、底部２全体が透水コンクリート製の場合に比較して、透水率は数分の１となり、特に流水量が少なかったり、流れが急の場合には、殆んど浸透効果が発揮されないと云う場合も発生する。
【０００６】
本発明は、斯る点に鑑みて提供されるものであって、その目的は、どのような条件のもとにおいても浸透率を高めることができる浸透側溝ブロックにおける浸透率促進装置を提供することである。
【０００７】
【課題を解決するための手段】
上記目的を達成するため、請求項１に記載の発明においては、浸透側溝において、底部を普通コンクリートで成形し、側壁を透水コンクリートで成形し、かつ前記底部の一部に浸透口を貫通して成形し、この浸透口に対して内方から透水コンクリートで成形されていて、流水を一定のレベルまで堰き止めかつオーバーフローすることができる堰部を成形した堰ブロックを着脱自在に組み付けて成る、ことを特徴とするものである。
【０００８】
更に、請求項２に記載の発明においては、請求項１に記載の浸透側溝において、浸透口を底部において上流側と下流側の２ヶ所に成形し、この浸透口にそれぞれ堰ブロックを着脱自在に組み付けて成る、ことを特徴とするものである。
【０００９】
更に、請求項３に記載の発明においては、請求項１又は２に記載の浸透側溝において、堰ブロックは、側面視で逆Ｔ字型又はＬ字型又はＩ字型を呈していることを特徴とするものである。
【００１０】
【作用】
本発明に係る浸透側溝の施工は従来例と同じようにして行われる。堰ブロックは、側溝を施工した後、この側溝内の浸透口に組み込まれる。雨水等が側溝内に流入すると、この流水は堰ブロックにより一時的に側溝内に貯溜されたのち、堰ブロックの堰部に設けた通水口を通って下流側に流れ、この通水口を通過し切れない水量になると、堰部を乗り越えて（オーバーフローして）下流側に流れる。このとき、流水の一部は堰ブロックが透水コンクリートであることから、この堰ブロックの部分から土壌中に浸透して行くと共に、側透水コンクリートで形成された側壁からも土壌中に浸透して行く。
【００１１】
流水が減り、堰ブロックをオーバーフローしなくなり、更に通水口を経由する水量も無くなると、流水は堰ブロック内にそのまま貯溜されるが、透水コンクリート製の堰ブロック（浸透口）及び、透水コンクリート製の側壁から土壌中に浸透して行く。
このように、堰ブロックによる流水の貯溜作用により、流水の浸透率が高まる。特に、少量の流水については、この貯溜作用が浸透率を画期的に高めることになる。
【００１２】
堰ブロックを側溝ブロック内に組み込んでおくことは、一方この堰ブロックにゴミや土砂等が引っ掛かってたまることになるので、堰ブロックは、例えば定期的に取り外してゴミ、土砂類を取り除くことになる。
【００１３】
【実施例】
図１は本発明に係る浸透側溝を斜め上方から見た状態を示すもので、この浸透側溝１０は、底部１１が普通コンクリートで成形され、側壁１２ａ、１２ｂにおいて、ｈの部分は透水コンクリート１３で一体に成形されている。１４…は、道路の舗装面が透水コンクリート等の場合に、この舗装を経由して浸透した雨水を側溝１０内に導入するための流水孔、１５…は、側溝１０内において、前記流水孔１４…に対応する位置に形成されたＬ字状の流水溝であって、側溝１０に蓋２０が嵌合されたときに、流水が流れ込む水路を確保するために設けられている。
【００１４】
１６…は、前記流水溝１５と同じように、側溝１０の蓋２０側に形成された雨水流水口２１に対応していて、蓋２０側から流水した雨水を側溝１０内にスムーズに流水させるための流水スロープである。１７は側溝１０の外側において、前記流水孔１４…に対応する位置に横一直線状に形成された横溝であって、舗装との間において、流水孔１４…内に流入する雨水の水路をこの横溝１７で確保することにより、舗装内に浸透した雨水がスムーズに流水孔１４…内に入水させるために設けられている。なお、図１において、蓋２０には手掛け用の切り欠き２２が形成されている。
【００１５】
図２は、側溝１０を前記流水孔１４…側から見た図、図３は側溝１０を上方から見た図、図４は図２のＡ−Ａ´線断面図、図５は図２のＢ−Ｂ´線断面図、図３〜図７に示した符号の１８ａ、１８ｂは、側溝１０の底部１１に形成した四角形の浸透口であって、この浸透口１８ａ、１８ｂには、段部１９が形成されている。
【００１６】
図８において、３０は堰ブロックであって、この堰ブロック３０は、四角形の底板３１の中央に垂直方向に堰部３２を形成した逆Ｔ字状を呈していて、前記側溝１０の浸透口１８ａ、１８ｂに上方から底板３１が丁度嵌合する。３３は、堰部３２の中央に形成した通水孔３３である。
なお、上記実施例において、側溝１０の浸透口１８ａ、１８ｂは２ヶ所に形成されているが、１ヶ所に成形してもよい。また、流入孔１４、流水溝１５、スロープ１６、側溝１０の横溝１７は側壁１２ａ、１２ｂの双方に形成してもよい。
【００１７】
図９は、上記した側溝１０と堰ブロック３０を施工した例であって、施工ルートに沿って溝を堀削し、最底部に透水シート４１を敷き、この上に砕石４２を充填して均らし、この上に側溝１０を施工する。そして、各側溝１０の浸透口１８ａ、１８ｂには堰ブロック３０を嵌合させる。なお、図９において、図１で示した蓋２０は省略した。また、この施工例においては、すべて側溝１０を用いているが、条件次第では、普通コンクリート製の側溝を一つ置き、または複数個置きに用いるようにしてもよい。
【００１８】
上記実施例によると、図９で示すように、側溝１０内に流れ込んだ流水ａは、堰ブロック３０で堰止められてこの堰ブロック３０内に貯溜される。この結果、堰ブロック３０の浸透作用により、流水ａは矢印ｂに示すように堰ブロック３０→砕石４２→透水シート４１から土壌中に浸透して行く。勿論、側壁１２ａ、１２ｂの透水コンクリート１３部分からも浸透して行く。
【００１９】
このように、堰ブロック３０は、側溝１０内において流水を貯溜することにより、透水コンクリート製の側壁１３と水との接触面積の拡大を計り、浸透率を高め、更に、普通コンクリートのために浸透しない側溝１０の底部１１においても堰ブロック３０から浸透を確保することにより、浸透率を高めている。
【００２０】
【参考例】
本参考例は、図１０に示すように、浸透側溝ブロック５０の底部５１と側壁５２ａ、５２ｂ部分全体が透水コンクリート製の場合である。このようなブロック５０においては、実施例１の場合のように、底部５１に浸透口１８ａ、１８ｂを設ける必要がないので、この場合には、底部５１に堰ブロック嵌合口５３を形成し、この嵌合口５３に嵌合して固定するための嵌合部６１を形成した平板状の堰ブロック６０を用いる。そして、この堰ブロック６０の両隅には、流水切欠口６２ａ、６２ｂを形成しておき、少量の水はこの切欠口６２ａ、６２ｂから下流側に流れる。
【００２１】
なお、本参考例の堰ブロック６０は、普通コンクリート製であって、透水コンクリート製ではない。また、この堰ブロック６０は、必ずしもコンクリート製である必要はなく、木製、樹脂製等であってもよい。また、切欠口６２ａ、６２ｂは必ずしも必要ではなく、また、堰６３部分に通水口（一点鎖線）６４を設けてもよい。
本参考例におけるブロック５０の施工例を図１２に示した。
【００２２】
【発明の効果】
本発明は以上のように、浸透側溝において、内部に堰ブロックを組み込み、流水をこの堰ブロックで堰き止めることにより、透水コンクリート製の側壁と堰ブロックにおいて流水との接触面積及び接触時間の拡大を図った。この結果、浸透率が高まり、浸透側溝としての機能の向上が可能である。
【００２３】
また、堰ブロックは、流水中の土砂等を止めるため、側溝から河川に土砂が流れ込む量も減少させることができる。
また、堰ブロックは着脱自在のため、堰ブロックを取り外して溜った土砂類を簡単に除去することができる。
【図面の簡単な説明】
【図１】  実施例に係る浸透側溝の斜視図。
【図２】  側溝の側面図。
【図３】  側溝の平面図。
【図４】  Ａ−Ａ´線断面図。
【図５】  Ｂ−Ｂ´線断面図。
【図６】  側溝の底面図。
【図７】  Ｃ−Ｃ´線断面図。
【図８】  堰ブロックの斜視図。
【図９】  施工例の説明図。
【図１０】  参考例に係る浸透側溝ブロックの斜視図。
【図１１】  参考例に係る堰ブロックの斜視図。
【図１２】  参考例に係るブロックの施工例の説明図。
【図１３】  （Ａ），（Ｂ）は従来の浸透側溝ブロックの説明図。
【符号の説明】
１０  浸透側溝
１１  底部
１２  透水コンクリート部
１２ａ，１２ｂ  側壁
１８ａ、１８ｂ  浸透口
３０  堰ブロック
３２  堰部
３３  通水孔
【図１】
0004417542.tif 000002
【図２】
0004417542.tif 000003
【図３】
0004417542.tif 000004
【図４】
0004417542.tif 000005
【図５】
0004417542.tif 000006
【図６】
0004417542.tif 000007
【図７】
0004417542.tif 000008
【図８】
0004417542.tif 000009
【図９】
0004417542.tif 000010
【図１０】
0004417542.tif 000011
【図１１】
0004417542.tif 000012
【図１２】
0004417542.tif 000013
【図１３】
0004417542.tif 000014